(57)【要約】      （修正有）【課題】主に洗髪時において、顔面に使用するもので、顔に温水やシャンプー等が付着するのを防止すると共に、摩れ防止具にてシートの摩れ防止し、かつ、保温効果・冷却効果・遠赤効果・マッサージ効果等を有し、目の疲労回復・リフレッシュ等を可能にする顔面用カバーを提供する。【解決手段】顔面を覆うシート２と、シートの摩れを防止すべく目の位置に着脱自在に置く摩れ防止具３とからなることを特徴とする。【選択図】図８
0003144691.tif 000002
【実用新案登録請求の範囲】
【請求項１】
顔面を覆うシートと、シートの摩れを防止すべく目の位置に着脱自在に置く摩れ防止具とからなることを特徴とする顔面用カバー。
【請求項２】
摩れ防止具が、鼻を中心として、両目を覆う大きさとすることを特徴とする請求項１記載の顔面用カバー。
【請求項３】
摩れ防止具が、保温材を内設してなることを特徴とする請求項１又は２記載の顔面用カバー。
【請求項４】
摩れ防止具が、保冷材を内設してなることを特徴とする請求項１又は２記載の顔面用カバー。
【請求項５】
摩れ防止具が、遠赤外線を発生するセラミックを設けてなることを特徴とする請求項１、２、３又は４記載の顔面用カバー。
【請求項６】
摩れ防止具が、バイブレーター機能を設けてなることを特徴とする請求項１、２、３、４又は５記載の顔面用カバー。
【請求項７】
摩れ防止具が、リング状にしてなることを特徴とする請求項１、２、３、４、５又は６記載の顔面用カバー。
【考案の詳細な説明】
【技術分野】
【０００１】  本考案は、主に美容院等において洗髪時の顔面をシートで覆うと共に、摩れないため摩れ防止具を設けてなる顔面用カバーに関するものである。
【背景技術】
【０００２】  従来の技術としては、例えば、洗髪時に顔面を覆う洗髪用マスクにおいて、該マスクの中央部に、略外鼻形状を呈する隆起部を形成する一方、該隆起部の下端部に呼吸用の開口を設けたことを特徴とする洗髪用マスクがある。（特許文献１参照）【０００３】  また、別の従来技術として、被洗髪者の顔を仰向け、左右横向け、あるいは下向けにして洗髪する際に、洗髪用の水あるいは洗剤などが顔に付着して顔を濡らさないために、四角形あるいは楕円形など顔の形に合わせた形状の、所定の厚さを有し顔を覆う撥水性を有する洋紙製のシャンプ用顔カバーにおいて、上記顔カバーを被洗髪者の顔に被せたとき、当人の呼吸により、あるいは顔を左右に向けるなどしたことにより前記顔カバーが滑り落ちるのを防止するため、前記顔カバーの被洗髪者の額に当たる一方の面の端部の両面に蝋が含浸された部分を当人の顔に軽く押圧し、顔の表面の水分あるいは皮脂またはコールドクリームなど化粧用クリームを介して顔に付着させ、前記カバーが滑り落ちるのを防止することを特徴とする簡易接着式シャンプ用顔カバーがある。（特許文献２参照）
【特許文献１】  特開平８−１３１２３３号公報
【特許文献２】  実用新案登録第３０４８８１１号公報
【考案の開示】
【考案が解決しようとする課題】
【０００４】  上記前者においては、マスク状に形成するため、コスト的に高くなり、かつ、マスクをしている間の付加価値（例えば、目の疲れを回復する等）がない。【０００５】  また、上記後者においては、蝋を使用して額に付着させ、滑り落ちるのを防止する効果等を有するものの、これまた、蝋を使用することによるコストアップや、１回ごとに取り替えなければならず、実用上不合理である。【０００６】  本考案は、このような従来の構成が有していた問題点を解決しようとするもので、主に洗髪時において、顔面に使用するもので、顔に温水やシャンプー等が付着するのを防止すると共に、摩れ防止具にてシートの摩れ防止し、かつ、保温効果・冷却効果・遠赤効果・マッサージ効果等を有し、目の疲労回復・リフレッシュ等、使用者に提供することを目的とする。
【課題を解決するための手段】
【０００７】  本考案は、上記目的を達成するために、顔面を覆うシートと、シートの摩れを防止すべく目の位置に着脱自在に置く摩れ防止具とからなる。
摩れ防止具が、鼻を中心として、両目を覆う大きさとする。
摩れ防止具が、保温材を内設してなる。
摩れ防止具が、保冷材を内設してなる。
摩れ防止具が、遠赤外線を発生するセラミックを設けてなる。
摩れ防止具が、バイブレーター機能を設けてなる。
摩れ防止具が、リング状にしてなることを特徴とする。
【考案の効果】
【０００８】１）、シートと摩れ防止具との構成により、シートは使用者ごとに交替するが、摩れ防止具はシートの上面に置いて再使用できるもので、安全で衛生的に使用できる。
２）、摩れ防止具は、鼻を中心として両目を覆う大きさとすることにより、安定してシートの摩れを防止するものである。
３）、摩れ防止具が、保温材を内設することにより、洗髪中に目を温めることにより、周囲の毛細血管が開き、血行がよくなり、疲労回復に効果がある。
４）、摩れ防止具が、冷却材を内設することにより、目にかゆみ等がある場合は冷やすことで炎症を抑えることができ、精神的にリフレッシュすることができる。
５）、摩れ防止具が、遠赤外線を発生するセラミック粉を内設することにより、上記保温・冷却効果を一層向上させてなる。
６）、摩れ防止具が、バイブレーター機能を設けることにより、マッサージ効果を得ることができる。
７）、摩れ防止具が、リング状にすることにより、例えばコンタクトをしている使用者に対しては眼球を押圧することなく使用できる効果がある。
【考案の実施するための最良の形態】
【０００９】  顔面用カバー１は、シート２と摩れ防止具３とから構成される。
シート２は、顔面を覆う大きさ（例えば長方形）とし、材質として特に限定するものではなく、不織布や綿、紙等、必要に応じて選定する。
摩れ防止具３は、鼻の位置に連結部３ａを設け、両側目の位置に防止体３ｂを設けてあり、外周はポリプロピレンやポリエチレン等で加工してある。
なお、防止体３ｂは保温材４、冷却材５、セラミック粉６を内設してなるもので、材質として高吸収ポリマー等を使用し、セラミック粉６としては特に材質（成分）は限定せず放射率の高いものを使用すればよい。
また、保温材４あるいは冷却材５内にセラミック粉６を入れる（混合）のも一考である。
【００１０】  つぎに、顔面用カバー２１について説明する。
顔面用カバー２１は、防止体２３ｂをリング状に形成したもので、内設するものは上記と同様とする。
【００１１】  つづいて、顔面用カバー１の使用例について説明する。
例えば、美容院（図示せず）で仰向けで洗髪するとき、まず、顔面ＧＭにシート２を置き、目の位置に上方から摩れ防止具３の防止体３ｂを置き、当接する。
この状態で、洗髪することにより顔面ＧＭを保護すると共に、保温効果・冷却効果・遠赤効果が得られる。
【００１２】  また、顔面用カバー２１においても同様な使用方法で、目（眼球）Ｍ１に負荷が掛からないため、特にコンタクトを装着している方や、目に病気のある方等に有効である。
【００１３】  上記実施例において、シート及び摩れ防止具の材質や大きさ・形状等は必要に応じて決めればよい。
さらに、防止体にバイブレーター機能７を付設することもできるものである。
さらにまた、バイブレーター機能７を単体として使用するのも一考である。
【図面の簡単な説明】
【００１４】
【図１】  本考案の顔面用カバーの第１実施例を示すシートの正面図。
【図２】  本考案の顔面用カバーの第１実施例を示す摩れ防止具の正面図。
【図３】  本考案の顔面用カバーの第１実施例を示す防止体の縦断側面図。
【図４】  本考案の顔面用カバーの第２実施例を示す防止体の縦断側面図。
【図５】  本考案の顔面用カバーの第３実施例を示す防止体の縦断側面図。
【図６】  本考案の顔面用カバーの第３実施例を示す摩れ防止具の正面図。
【図７】  本考案の顔面用カバーの第３実施例を示す摩れ防止具の縦断側面図。
【図８】  本考案の第１実施例の顔面用カバーの使用状態図。
【図９】  本考案の第２実施例の顔面用カバーの使用状態図。
【符号の説明】
【００１５】  １−−−顔面用カバー
２−−−シート
３−−−摩れ防止具
３ａ−−連結部
３ｂ−−防止体
４−−−保温材
５−−−冷却材
６−−−セラミック粉
ＧＭ−−顔面
【図１】
0003144691.tif 000003
【図２】
0003144691.tif 000004
【図３】
0003144691.tif 000005
【図４】
0003144691.tif 000006
【図５】
0003144691.tif 000007
【図６】
0003144691.tif 000008
【図７】
0003144691.tif 000009
【図８】
0003144691.tif 000010
【図９】
0003144691.tif 000011